(57)【要約】      （修正有）【課題】屋根上で安全に作業を行うための屋根上作業用安全金具を提供する。【解決手段】屋根に固設した安全金具(21)に作業者の命綱(22)を連結した状態で屋根上作業を行う構成であり、安全金具(21)は、ビスや釘等の固着具(26)により屋根に固設される座板(23)と、該座板から立設された支柱(24)と、該支柱に回転自在に取付けられる環金具(25)を備える。前記環金具(25)は、軸受部(34,34)の間に臨ませて開放された窓開口(36)を形成し、軸受部(34,34)に支柱(24)を挿通したとき前記窓開口(36)の開放部が閉鎖される。軸受部(34)は、支柱(24)のフランジ(33)の上に支持され、支柱のボルト部(32)に環金具の回転を妨げないように抜止めナット(40)を螺着する。【選択図】図３
0003162625.tif 000002
【実用新案登録請求の範囲】
【請求項１】
屋根上に固設された安全金具(21)に作業者の命綱を連結した状態で屋根上作業を行う構成において、
前記安全金具(21)は、固着具(26)により屋根に固設される座板(23)と、該座板から立設された支柱(24)と、該支柱に回転自在に取付けられる環金具(25)を備え、
前記支柱(24)は、軸方向の中間部(24a)にフランジ(33)を固着すると共に、上端の軸端部にボルト部(32)を形成し、
前記環金具(25)は、前記支柱(24)に回転自在に外挿される軸受部(34)から横向きに取付部(35)を延設し、該取付部に窓開口(36)を介して命綱取付用の軸杆(37)を形成し、
前記環金具(25)の軸受部(34)を前記フランジ(33)の上に支持させた状態で支柱(24)に外挿し、前記支柱のボルト部(32)に環金具の回転を妨げないように抜止めナット(40)を螺着して成ることを特徴とする屋根上作業用安全金具。
【請求項２】
前記環金具(25)は、上下に配置された一対の軸受部(34,34)から横向きに延設された一対のアーム(38,38)と該アームを連結する軸杆(37)により窓開口(36)を形成した取付部(35)を構成し、前記窓開口(36)を上下の軸受部(34,34)の間に臨ませて開放し、上下の軸受部に挿通される支柱(24)により前記窓開口(36)の開放部を閉鎖するように構成して成ることを特徴とする請求項１に記載の屋根上作業用安全金具。
【請求項３】
屋根の傾斜方向を傾斜軸(X)とすると共に、該傾斜軸(X)に直交する水平方向を交差軸(Y)としたとき、前記座板(23)は、交差軸(Y)の上下方向の折曲に対抗する耐力リブ(30)を形成して成ることを特徴とする請求項１又は２に記載の屋根上作業用安全金具。
【請求項４】
前記耐力リブ(30)は、前記交差軸(Y)とほぼ平行に延びる座板(23)の両側縁部(23a,23a)を上向きに折曲することにより形成されて成ることを特徴とする請求項３に記載の屋根上作業用安全金具。
【考案の詳細な説明】
【技術分野】
【０００１】
本考案は、屋根上で安全に作業を行うための屋根上作業用安全金具に関する。
【背景技術】
【０００２】
従来、屋根上で瓦葺きや太陽光パネルの設置、その他、種々の屋根上作業を行う場合、屋根に固設した安全金具に作業者の命綱を連結することにより、作業の安全を確保している。
【０００３】
この際、屋根上での作業者の移動を容易とするため、屋根の棟頂部に間隔をあけて一対の安全金具を固設し、安全金具に架け渡した親綱と、該親綱に摺動自在に連結された子綱により命綱を構成し、子綱を作業者の身体の安全ベルトに連結したものが提案されている。
【先行技術文献】
【特許文献】
【０００４】
【特許文献１】特開平８−５３９１４号公報
【特許文献２】特開２０００−４５５３６号公報
【考案の概要】
【考案が解決しようとする課題】
【０００５】
ところで、このような安全金具は、例えば、野地板にビス等の固着具を介して固着される座板と、該座板に立設されるボルトと、該ボルトの上端部に螺着されるアイナットから成る安全金具（以下、「比較例」という。）を提案することができる。
【０００６】
比較例の安全金具の場合、ボルトが全軸長にわたり雄ネジを形成し、ボルトの下端部を座板に溶接されたナットに螺着し、ボルトの上端部にアイナットのナット部を螺着することにより組立てることができる。
【０００７】
屋根上作業に際して、屋根の高位個所に間隔をあけて少なくとも一対の安全金具を固設し、それぞれの安全金具のアイナットのリング部に親綱を固着し、該親綱に子綱を摺動自在に連結することにより、作業者の安全が確保される。
【０００８】
ところが、作業者が屋根上を歩行移動しながら作業を行うと、子綱に連結された親綱が緊張と弛緩を繰り返しつつ振動し、振動をアイナットに伝達する。
【０００９】
そこで、比較例の場合は、アイナットのリング部が親綱の振動を受けると、振動や親綱の引張角度による影響で、螺着が弛み、場合によっては螺着が外れるおそれがある。
【００１０】
また、アイナットのリング部の直径が小さい場合は、親綱を連結するためのシャックル等を介装する必要があり、この場合、部品点数の増加と、高所での作業工数の増加という好ましくない結果を招来する。
【課題を解決するための手段】
【００１１】
本考案は、上記課題を解決した屋根上作業用安全金具を提供するものであり、その手段として構成したところは、屋根上に固設された安全金具(21)に作業者の命綱を連結した状態で屋根上作業を行う構成において、前記安全金具は、固着具により屋根に固設される座板と、該座板から立設された支柱と、該支柱に回転自在に取付けられる着脱可能な環金具を備え、前記支柱は、軸方向の中間部にフランジを固着すると共に、上端の軸端部にボルト部を形成し、前記環金具は、前記支柱に回転自在に外挿される軸受部から横向きに取付部を延設し、該取付部に窓開口を介して親綱取付用の軸杆を形成し、前記環金具の軸受部を前記フランジの上に支持させた状態で支柱に外挿し、前記支柱のボルト部に環金具の回転を妨げないように抜止めナットを螺着して成る点にある。
【００１２】
本考案の好ましい実施形態において、前記環金具は、上下に配置された一対の軸受部から横向きに延設された一対のアームと該アームを連結する軸杆により窓開口を形成した取付部を構成し、前記窓開口を上下の軸受部の間に臨ませて開放し、上下の軸受部に挿通される支柱により前記窓開口の開放部を閉鎖するように構成している。
【００１３】
屋根の傾斜方向を傾斜軸(X)とすると共に、該傾斜軸(X)に直交する水平方向を交差軸(Y)としたとき、前記座板は、交差軸(Y)の上下方向の折曲に対抗する耐力リブを形成することが好ましい。
【００１４】
前記耐力リブは、前記交差軸(Y)とほぼ平行に延びる座板の両側縁部を上向きに折曲することにより形成するのが良い。
【考案の効果】
【００１５】
請求項１に記載の本考案によれば、座板２３に立設した支柱２４に対して、環金具２５が軸受部３４をフランジ３３に支持させた状態で回転自在に外挿され、支柱２４のボルト部３２に該環金具２５の回転を妨げないように抜止めナット４０を螺着した構成であるから、環金具２５が支柱２４を中心として自由に回転し、支柱２４に回転力を伝達しないので、命綱２２からの振動や、命綱２２の引張角度による影響を受け難く、支柱２４のボルト部における螺着の弛みを将来するおそれがなく、作業者の安全を確保する。
【００１６】
そして、本考案の安全金具２１は、命綱２２の親綱２２Ａを取付けて使用する他、子綱２２Ｂを直接取付けて使用することもでき、その場合、環金具２５は、子綱２２Ｂが引かれる方向に向けて、支柱２４を中心とする３６０度の範囲で自由な姿勢をとることが可能であり、作業者の歩行移動に好適に対応できる。
【００１７】
この際、請求項２に記載の本考案によれば、屋根上に安全金具２１を列設すると共に親綱２２を架け渡す際に、支柱２４を立設する座板２３をビス等の固着具２６で屋根の所定個所に固設する一方、分離独立した自由な状態で環金具２５に親綱２２を連結し、その後、親綱２２と共にそれぞれの環金具２５を安全金具２１の支柱２４に取付けることができるので、危険な高所での作業が容易となる。
【００１８】
しかも、万一、作業者が足を滑らせ又は転倒し、命綱２２から強大な引張力Ｐを伴う衝撃が環金具２５に作用したとき、環金具２５は、窓開口３６の開放部を狭める方向にアーム３８、３８を変形させることが可能であるから、衝撃時の荷重吸収効果を期待することができる。
【００１９】
そして、請求項３又は請求項４に記載の本考案によれば、作業者の転倒等による強大な引張力Ｐにより支柱２４が傾く場合でも、耐力リブ３０により座板２３の二つ折り状の折曲変形を阻止すると共に、上向き力Ｕを生じる端部２３ｃの上向き円弧状の変形を許すので、下向き力Ｄを生じる端部２３ｂが野地板２７にめり込んで破損することを防止し、このため、固着具２６の離脱による安全金具２１の脱落を招来するおそれがなく、作業者の安全を確保できる。
【図面の簡単な説明】
【００２０】
【図１】本考案の１実施形態に係る安全金具を屋根上に固設し、親綱を架け渡した状態を示す斜視図である。
【図２】本考案の１実施形態に係る安全金具を屋根上に固設した状態で、親綱を架け渡す方法を示す斜視図である。
【図３】本考案の１実施形態に係る安全金具の分解状態を示す斜視図である。
【図４】本考案の１実施形態に係る安全金具の組立状態を示す斜視図である。
【図５】本考案の１実施形態に係る安全金具を屋根上に固設した状態を示す断面図である。
【図６】本考案の１実施形態に係る安全金具における耐力リブの作用を示す斜視図である。
【図７】耐力リブの別の実施形態を示す斜視図である。
【考案を実施するための形態】
【００２１】
以下図面に基づいて本考案の好ましい実施形態を詳述する。
【００２２】
図１に示すように、屋根の傾斜方向を傾斜軸Ｘとすると共に、該傾斜軸Ｘに直交する水平方向を交差軸Ｙとしたとき、傾斜軸Ｘに関する屋根の高位個所において、交差軸Ｙの方向に間隔をあけて複数の安全金具２１が固設される。図示実施形態の例において、命綱２２は、親綱２２Ａと子綱２２Ｂにより構成され、屋根に固設された３個の安全金具２１のうち、両端に配置された安全金具２１が親綱２２Ａの支持手段２１ａを構成し、中間に配置された安全金具２１が親綱２２Ａの案内手段２１ｂを構成している。しかしながら、本考案は、固設する安全金具２１の個数を問うものではなく、例えば、１個の安全金具２１を固設し、該安全金具２１に子綱２２Ｂを直接取付けて使用しても良い。尚、安全金具２１を固設する個所は、棟頂部の近傍でも良いが、作業者の作業領域に対して相対的に高位の個所等とされ、屋根上の作業者が落下する方向の反対側の個所とするのが好ましい。
【００２３】
安全金具２１は、座板２３と、該座板２３から立設された支柱２４と、該支柱２４に回転自在に取付けられる着脱可能な環金具２５により構成されており、前記座板２３を複数本のビスや釘等の固着具２６により屋根に固着した状態で使用される。尚、固着具２６は、野地板２７又は野地板の下側の垂木に進入し、座板２３を強固に固着する（図５参照）。
【００２４】
図示実施形態の例において、図１に示すように、親綱２２Ａは、中間に配置された安全金具２１（２１ｂ）の環金具２５に遊動自在に挿通され、該親綱２２Ａの両端に設けたループ２２ａを両端に配置された一対の安全金具２１（２１ａ）の環金具２５に挿着される。親綱２２Ａの中間部には、子綱２２Ｂの一端が連結金具等を介して摺動自在に連結され、該子綱２２Ｂの他端は作業者の身体に装着した安全ベルトに連結され、親綱２２Ａと子綱２２Ｂにより命綱２２を構成する。
【００２５】
屋根上に安全金具２１を列設すると共に親綱２２Ａを架け渡す際に、図２に示すように、各安全金具２１は、環金具２５を取外した状態で、座板２３を固着具２６により屋根の所定個所に固設される。これにより、環金具２５は、分離独立した自由な状態とされているので、中間に配置される安全金具２１（２１ｂ）の環金具２５に親綱２２Ａを挿通し、両端に配置される安全金具２１（２１ａ）の環金具２５に親綱２２Ａのループ２２ａを挿着した後、親綱２２Ａと共にそれぞれの環金具２５を安全金具２１の支柱２４に取付けることができ、危険な高所での作業を容易とする。
【００２６】
ところで、図１に示すように、作業者が子綱２２Ｂを連結した状態で屋根上を歩行移動しつつ作業を行うとき、親綱２２Ａが緊張と弛緩を繰り返しつつ振動し、振動を安全金具２１の環金具２５に伝達する。この際、環金具２５は、支柱２４に回転自在に取付けられているので、図示矢印Ｒで示すように、振動や親綱２２Ａの引張角度に応じて自由に回転する。このため、環金具２５の回転力が支柱２４に伝達されることはない。
【００２７】
そして、万一、作業者が足を滑らせ又は転倒し、子綱２２Ｂから親綱２２Ａに引張力Ｐが作用すると、安全金具２１には親綱２２Ａの衝撃による負荷Ｔが与えられるが、後述するように、環金具２５の変形により衝撃荷重を吸収し、しかも、座板２３の耐力リブにより安全金具２１の脱落を防止し、作業者の安全を確保する。
【００２８】
図３ないし図５に示すように、前記座板２３は、必要十分な強度を有する厚さの金属板によりほぼ矩形板状に形成され、上面中央に固定ナット２８を溶接等で固着しており、該固定ナット２８の両側に位置して複数を１組とした孔２９を貫設している。この際、図示のように、相互に１組とされる孔２９は、固定ナット２８に対して前記傾斜軸Ｘ方向に配置することが好ましく、各組を構成する複数の孔２９は、相互に交差軸Ｙ方向に位置をずらせて配置することが好ましい。
【００２９】
座板２３は、交差軸Ｙの上下方向の折曲に対抗する耐力リブ３０を形成している。図３ないし図５に示す実施形態の場合、前記交差軸Ｙとほぼ平行に延びる座板２３の両側縁部２３ａ，２３ａを上向きに折曲することにより耐力リブ３０、３０を形成している。
【００３０】
前記支柱２４は、必要十分な強度を有する金属その他のロッド又はパイプ等により形成されており、下端の軸端部に雄ネジを設けることにより下側ボルト部３１を形成し、上端の軸端部に雄ネジを設けることにより上側ボルト部３２を形成しており、シャンクブランクとされた軸方向の中間部２４ａにフランジ３３を溶接等で固着している。
【００３１】
前記環金具２５は、必要十分な強度を有する金属その他のロッド又はパイプ等を鍛造又はプレス等することにより形成されており、前記支柱２４の中間部２４ａに回転自在に外挿される軸受部３４から横向きに取付部３５を延設し、該取付部３５に窓開口３６を介して命綱取付用の軸杆３７を形成している。
【００３２】
図示実施形態の場合、環金具２５は、上下に配置された一対の軸受部３４、３４から横向きに延設された一対のアーム３８、３８と該アームを連結する軸杆３７により窓開口３６を形成した取付部３５を構成し、前記窓開口３６を上下の軸受部３４、３４の間に臨ませて開放しており、図４に示すように、上下の軸受部３４、３４に前記支柱２４の中間部２４ａを挿通したとき、前記窓開口３６の開放部が前記中間部２４ａにより閉鎖されるように構成している。
【００３３】
そこで、前記座板２３と支柱２４は、前記固定ナット２８に下側ボルト部３１を螺着することにより、相互に組立てられ、これにより、支柱２４が座板２３に立設される。この際、必要に応じ、下側ボルト部３１に弛み止め用のロックナット３９を螺着しても良い。
【００３４】
また、前記支柱２４と環金具２５は、該環金具２５の下側の軸受部３４を前記フランジ３３の上に支持させた状態で、上下の軸受部３４、３４を支柱２４の中間部２４ａに外挿し、上側ボルト部３２に抜止めナット４０を螺着することにより、相互に組立てられ、これにより、環金具２５が支柱２４に回転自在に軸支される。この際、必要に応じ、上側ボルト部３２に弛み止め用のロックナット４１を螺着しても良い。
【００３５】
前記抜止めナット４０は、環金具２５の回転を妨げないように螺着される。例えば、図５に示すように、抜止めナット４０を上側ボルト部３２に強く締着したときでも、該抜止めナット４０が上側の軸受部３４との間に隙間Ｓを形成するように、上側ボルト部３２の雄ネジが支柱２４の上端の軸端部にのみ形成されている。これにより、環金具２５は、下側の軸受部３４をフランジ３３により支持された状態で、中間部２４ａの軸周りを自由に回転し、抜止めナット４０を連れ回りさせることはない。
【００３６】
上述のように、複数の安全金具２１を屋根上に列設すると共に親綱２２Ａを架け渡す際に、各安全金具２１は、支柱２４を立設した座板２３を固着具２６により野地板２７に固着される。この際、座板２３は、耐力リブ３０を交差軸Ｙとほぼ平行になるように向けて配置される。環金具２５は、支柱２４に取付ける前に、親綱２２Ａを連結される。親綱Ａ２２の両端は、窓開口３６の開放部から一方の軸受部３４をループ２２ａに通すことにより、該ループ２２ａを軸杆３７に取付けられ、このような取付けが完了した後に、環金具２５を支柱２４に回転自在に取付けられる。中間位置に配置される安全金具２１の環金具２５は、支柱２４に取付ける前に、窓開口３６に親綱２２Ａを挿通させられ、その後、支柱２４に回転自在に取付けられる。このように、支柱２４から分離独立した自由な状態の環金具２５に親綱２２Ａを連結した後、該環金具２５を支柱２４に取付けることができるので、危険な高所での作業が容易となる。
【００３７】
そして、屋根上に列設された全ての安全金具２１は、環金具２５を回転自在としている８ので、親綱２２Ａの振動や引張角度に好適に対応して回転し、該環金具２５の回転を支柱２４に伝達することはない。図示省略しているが、環金具２５に直接子綱２２Ｂを取付けて使用する場合も同様である。
【００３８】
ところで、万一、作業者が足を滑らせ又は転倒し、命綱２２（図例の場合は親綱２２Ａ）の強大な引張力Ｐを伴う衝撃により、安全金具２１に負荷Ｔが与えられると、モーメントにより支柱２４が図６に示す角度θのように傾くことになる。これにより、環金具２５は、支柱２４の傾き方向の分力を伴う衝撃荷重を受け、座板２３は、交差軸Ｙの上下方向の折曲力を受けることにより、負荷Ｔが向かう側の端部２３ｂに下向き力Ｄを生じ、反対側の端部２３ｃに上向き力Ｕを生じる。
【００３９】
環金具２５は、上述のように、上下の軸受部３４、３４の間に臨んで窓開口３６を開放しているので、上側の軸受部３４が抜止めナット４０に支持された状態で、前述のような衝撃荷重を受けたとき、図６に鎖線で示すように、下側のアーム３８の変形を介して下側の軸受部３４が上向きに移動可能であり、このような窓開口３６の開放部を狭めるように変形することにより、衝撃時の荷重を吸収することが可能である。
【００４０】
また、座板２３は、上述のように、支柱２４の傾斜軸Ｘ方向の両側で固着具２６により野地板２７に固着されているため、前記上向き力Ｕを生じる端部２３ｃが野地板２７から浮き上がろうとする。しかしながら、座板２３の両側縁部２３ａ、２３ａは、折曲力に対抗する耐力リブ３０、３０を形成しているので、該両側縁部２３ａ、２３ａの折曲変形を許さない反面、図示のように、耐力リブ３０、３０の間に位置する端部２３ｃを上向き円弧状に変形させつつ野地板２７から浮き上がることを許す。従って、耐力リブ３０、３０により、座板２３が二つ折り状に折損することを阻止し、固着具２６が野地板２７から引き抜かれることを防止する。
【００４１】
その一方において、仮に、座板２３を交差軸Ｙ方向に完全な剛体構造とする場合は、下向き力Ｄを生じる端部２３ｂが野地板２７にめり込み、野地板２７を破損するだけでなく、破損された野地板２７から固着具２６が離脱する危険がある。この点に関して、本考案の実施形態は、前述のように、端部２３ｃを上向き円弧状に変形させながら最小限の範囲で浮き上がることを許す構成であるから、これにより支柱２４のモーメントを吸収しつつ前記端部２３ｂが野地板２７にめり込むことを好適に防止する。
【００４２】
図７は、耐力リブ３０の別の実施形態を示しており、座板２３の上面の対角線方向に４本の耐力リブ３０を溶接等で固着している。この場合も、支柱２４に強大なモーメントが作用したとき、耐力リブ３０により座板２３の二つ折り状の折曲変形を阻止すると共に、上向き力Ｕを生じる端部２３ｃの上向き円弧状の変形を許すことにより、下向き力Ｄを生じる端部２３ｂが野地板２７にめり込むことを防止できる。
【符号の説明】
【００４３】
２１  安全金具
２１ａ  支持手段
２１ｂ  案内手段
２２  親綱
２３  座板
２３ａ  側縁部
２３ｂ、２３ｃ  端部
２４  支柱
２４ａ  中間部
２５  環金具
２６  固着具
２８  固定ナット
２９  孔
３０  耐力リブ
３１  下側のボルト部
３２  上側のボルト部
３３  フランジ
３４  軸受部
３５  取付部
３６  窓開口
３７  軸杆
３８  アーム
３９、４１  ロックナット
４０  抜止めナット
【図１】
0003162625.tif 000003
【図２】
0003162625.tif 000004
【図３】
0003162625.tif 000005
【図４】
0003162625.tif 000006
【図５】
0003162625.tif 000007
【図６】
0003162625.tif 000008
【図７】
0003162625.tif 000009